(57)【要約】      （修正有）【課題】ビジネスエリアの管理者が携帯電話機の無線基地局に係る目隠し用アイテムの発注を簡便に行えるようにすること。【解決手段】発注支援サーバ２０にて、発注者端末１０からのアクセスにより、当該発注者端末１０に、携帯電話機の無線基地局を目隠しする目隠し用アイテムを注文するための発注用入力フォームを送信する。次に、発注支援サーバ２０にて、発注者端末１０からの情報であって、発注用入力フォームに少なくとも発注者情報、無線基地局に係る環境条件、及び無線基地局の品名が入力されるとともに、携帯電話機の無線基地局の設置状況に係る画像データが添付された発注情報を受信することにより、当該発注情報内の無線基地局の品名に基づいて、対応する設計製作業者を選択する。その後、発注支援サーバ２０にて、選択した設計製作業者の受注者端末３０に発注情報を送信する。  【選択図】図２
2006227956.tif 000002
【特許請求の範囲】
【請求項１】
ビジネスエリアのエリア管理者が用いる発注者端末と、携帯電話機の無線基地局を目隠しする目隠し用アイテムを設計製作する設計製作業者が用いる受注者端末と、前記発注者端末および前記受注者端末とネットワーク網を介して接続する発注支援サーバと、を備える発注支援システムであって、
前記発注者端末は、画像データを読み取る読取部を備え、
前記発注支援サーバは、
少なくとも、目隠し用アイテムを注文するための発注用入力フォームと、無線基地局の品名と設計製作業者の対応表とを記憶する記憶部と、
前記発注者端末からのアクセスにより、当該発注者端末に前記発注用入力フォームを送信するように処理するとともに、
前記発注者端末からの情報であって、前記発注用入力フォームに少なくとも発注者情報、無線基地局に係る環境条件、及び無線基地局の品名が入力され、携帯電話機の無線基地局の設置状況に係る画像データが添付された発注情報を受信することにより、当該発注情報内の無線基地局の品名に基づいて、対応する設計製作業者を選択するように処理し、
選択した前記設計製作業者の前記受注者端末に前記発注情報を送信するように処理する制御部と、
を備えることを特徴とする発注支援システム。
【請求項２】
ビジネスエリアのエリア管理者が用いる発注者端末とネットワーク網を介して接続するとともに、携帯電話機の無線基地局を目隠しする目隠し用アイテムを設計製作する設計製作業者が用いる受注者端末とネットワーク網を介して接続する発注支援サーバであって、  少なくとも、目隠し用アイテムを注文するための発注用入力フォームと、無線基地局の品名と設計製作業者の対応表とを記憶する記憶部と、
前記発注者端末からのアクセスにより、当該発注者端末に前記発注用入力フォームを送信するように処理するとともに、
前記発注者端末からの情報であって、前記発注用入力フォームに少なくとも発注者情報、無線基地局に係る環境条件、及び無線基地局の品名が入力され、携帯電話機の無線基地局の設置状況に係る画像データが添付された発注情報を受信することにより、当該発注情報内の無線基地局の品名に基づいて、対応する設計製作業者を選択するように処理し、
選択した前記設計製作業者の前記受注者端末に前記発注情報を送信するように処理する制御部と、
を備えることを特徴とする発注支援サーバ。
【請求項３】
ビジネスエリアのエリア管理者が用いる発注者端末とネットワーク網を介して接続するとともに、携帯電話機の無線基地局を目隠しする目隠し用アイテムを設計製作する設計製作業者が用いる受注者端末とネットワーク網を介して接続する発注支援サーバを用いてエリア管理者の発注を支援する発注支援方法であって、
前記発注者端末からのアクセスにより、当該発注者端末に、携帯電話機の無線基地局を目隠しする目隠し用アイテムを注文するための発注用入力フォームを前記発注支援サーバから送信するステップと、
前記発注者端末からの情報であって、前記発注用入力フォームに少なくとも発注者情報、無線基地局に係る環境条件、及び無線基地局の品名が入力されるとともに、携帯電話機の無線基地局の設置状況に係る画像データが添付された発注情報を受信することにより、当該発注情報内の無線基地局の品名に基づいて、対応する設計製作業者を前記発注支援サーバにて選択するステップと、
選択した前記設計製作業者の前記受注者端末に前記発注情報を前記発注支援サーバから送信するステップと、
を含むことを特徴とする発注支援方法。
【請求項４】
ビジネスエリアのエリア管理者が用いる発注者端末とネットワーク網を介して接続するとともに、携帯電話機の無線基地局を目隠しする目隠し用アイテムを設計製作する設計製作業者が用いる受注者端末とネットワーク網を介して接続する発注支援サーバにエリア管理者の発注の支援を実行させる発注支援プログラムであって、
前記発注者端末からのアクセスにより、当該発注者端末に、携帯電話機の無線基地局を目隠しする目隠し用アイテムを注文するための発注用入力フォームを前記発注支援サーバから送信するステップと、
前記発注者端末からの情報であって、前記発注用入力フォームに少なくとも発注者情報、無線基地局に係る環境条件、及び無線基地局の品名が入力されるとともに、携帯電話機の無線基地局の設置状況に係る画像データが添付された発注情報を受信することにより、当該発注情報内の無線基地局の品名に基づいて、対応する設計製作業者を前記発注支援サーバにて選択するステップと、
選択した前記設計製作業者の前記受注者端末に前記発注情報を前記発注支援サーバから送信するステップと、
を実行させることを特徴とする発注支援プログラム。
【発明の詳細な説明】
【技術分野】
【０００１】
本発明は、携帯電話機の無線基地局を目隠しする目隠し用アイテムの発注支援システム、サーバ、方法、及びプログラムに関する。
【背景技術】
【０００２】
近年、無線ＩＰルータ、無線ＬＡＮなどの普及に伴い、街中、店内、オフィス内など、人目につく場所に携帯電話機の無線基地局が設置されるようになってきた。
【０００３】
デザインを重視した店内、オフィスなどのビジネスエリアが一般化するなか、携帯電話機の無線基地局がビジネスエリアの景観を大きく損ねてしまうことで、ビジネスチャンスを逃してしまうことが懸念される。
【０００４】
そこで、携帯電話機の無線基地局が設置されるビジネスエリアにおいては、携帯電話機の無線基地局を目隠しするカバーなどの目隠し用アイテムを設置して、ビジネスエリアの景観と調和を図っている。
【０００５】
【特許文献１】特開２００２−２２２３２５号公報
【発明の開示】
【発明が解決しようとする課題】
【０００６】
しかしながら、携帯電話機の無線基地局を設置するエリアは無数に存在し、すべてのエリアの景観にあわせるために、すべてのエリアごとにその景観と調和する目隠し用アイテムをストックしておくことは、棚卸の面でも好ましくない。
【０００７】
また、エリア管理者が景観と調和する目隠し用アイテムを簡便に発注する方法などがなく、現状ではいくつもの業者を介して依頼することになり、タイムラグや、調和するカバーがエリア管理者の意図しないものとなってしまうおそれがある。
【０００８】
本発明の課題は、ビジネスエリアの管理者が携帯電話機の無線基地局に係る目隠し用アイテムの発注を簡便に行えるようにすることである。
【課題を解決するための手段】
【０００９】
本発明の第１の視点においては、ビジネスエリアのエリア管理者が用いる発注者端末と、携帯電話機の無線基地局を目隠しする目隠し用アイテムを設計製作する設計製作業者が用いる受注者端末と、前記発注者端末および前記受注者端末とネットワーク網を介して接続する発注支援サーバと、を備える発注支援システムであって、前記発注者端末は、画像データを読み取る読取部を備え、前記発注支援サーバは、少なくとも、目隠し用アイテムを注文するための発注用入力フォームと、無線基地局の品名と設計製作業者の対応表とを記憶する記憶部と、前記発注者端末からのアクセスにより、当該発注者端末に前記発注用入力フォームを送信するように処理するとともに、前記発注者端末からの情報であって、前記発注用入力フォームに少なくとも発注者情報、無線基地局に係る環境条件、及び無線基地局の品名が入力され、携帯電話機の無線基地局の設置状況に係る画像データが添付された発注情報を受信することにより、当該発注情報内の無線基地局の品名に基づいて、対応する設計製作業者を選択するように処理し、選択した前記設計製作業者の前記受注者端末に前記発注情報を送信するように処理する制御部と、を備えることを特徴とする。
【００１０】
本発明の第２の視点においては、ビジネスエリアのエリア管理者が用いる発注者端末とネットワーク網を介して接続するとともに、携帯電話機の無線基地局を目隠しする目隠し用アイテムを設計製作する設計製作業者が用いる受注者端末とネットワーク網を介して接続する発注支援サーバであって、少なくとも、目隠し用アイテムを注文するための発注用入力フォームと、無線基地局の品名と設計製作業者の対応表とを記憶する記憶部と、前記発注者端末からのアクセスにより、当該発注者端末に前記発注用入力フォームを送信するように処理するとともに、前記発注者端末からの情報であって、前記発注用入力フォームに少なくとも発注者情報、無線基地局に係る環境条件、及び無線基地局の品名が入力され、携帯電話機の無線基地局の設置状況に係る画像データが添付された発注情報を受信することにより、当該発注情報内の無線基地局の品名に基づいて、対応する設計製作業者を選択するように処理し、選択した前記設計製作業者の前記受注者端末に前記発注情報を送信するように処理する制御部と、を備えることを特徴とする。
【００１１】
本発明の第３の視点においては、ビジネスエリアのエリア管理者が用いる発注者端末とネットワーク網を介して接続するとともに、携帯電話機の無線基地局を目隠しする目隠し用アイテムを設計製作する設計製作業者が用いる受注者端末とネットワーク網を介して接続する発注支援サーバを用いてエリア管理者の発注を支援する発注支援方法であって、前記発注者端末からのアクセスにより、当該発注者端末に、携帯電話機の無線基地局を目隠しする目隠し用アイテムを注文するための発注用入力フォームを前記発注支援サーバから送信するステップと、前記発注者端末からの情報であって、前記発注用入力フォームに少なくとも発注者情報、無線基地局に係る環境条件、及び無線基地局の品名が入力されるとともに、携帯電話機の無線基地局の設置状況に係る画像データが添付された発注情報を受信することにより、当該発注情報内の無線基地局の品名に基づいて、対応する設計製作業者を前記発注支援サーバにて選択するステップと、選択した前記設計製作業者の前記受注者端末に前記発注情報を前記発注支援サーバから送信するステップと、を含むことを特徴とする。
【００１２】
なお、本発明の前記発注支援方法の各ステップは、サーバ装置（発注支援サーバ）を構成するコンピュータ上でプログラムを実行することで実現される。
【発明の効果】
【００１３】
本発明（請求項１−４）によれば、エリア管理者は、ビジネスエリアの景観と調和するカバーなどの目隠し用アイテムの発注を簡易に発注することができる。また、設計製造業者にとっては、目隠し用アイテムをストックしておく必要がなくなり、棚卸上良好な状態が保てる。
【発明を実施するための最良の形態】
【００１４】
本発明の実施形態１に係る発注支援システムについて図面を用いて説明する。図１は、本発明の実施形態１に係る発注支援システムの構成を模式的に示したブロック図である。
【００１５】
この発注支援システムは、ビジネスエリア（例えば、街中、店内、オフィス、駅構内等）のエリア管理者（発注者）から、携帯電話機の無線基地局を目隠しする目隠し用アイテム（カバー、仕切り等）の設計製作業者（受注者）への目隠し用アイテムの発注を支援するシステムである。発注支援システムは、発注者端末１０と、発注支援サーバ２０と、受注者端末３０と、ネットワーク網４０と、を有する。
【００１６】
発注者端末１０は、発注者であるビジネスエリアのエリア管理者が用いるコンピュータ端末であり、ネットワーク網４０と通信可能に接続されている。発注者端末１０は、入力部１１と、読取部１２と、表示部１３と、記憶部１４と、通信部１５と、制御部１６と、を有する。入力部１１は、キーボード、マウス等の入力操作する部分である。読取部１２は、デジタルカメラ、スキャナ等から画像データを読み取る部分である。表示部１３は、所定の情報を表示する部分である。記憶部１４は、プログラム、読み取った画像データ等の情報を記憶する部分である。通信部１５は、ネットワーク網４０との間で情報を送受信するための部分である。制御部１６は、プログラムに基づいて、各構成部１１〜１５を制御する部分である。
【００１７】
発注支援サーバ２０は、発注支援サイトを運営する運営者が管理するコンピュータサーバであり、ネットワーク網４０と通信可能に接続されている。発注支援サーバ２０は、記憶部２１と、通信部２２と、制御部２３と、を有する。記憶部２１は、プログラム、発注支援サイトのホームページ画面、コンテンツ、目隠し用アイテムの見本、サイズ、見積価格、発注用入力フォーム、発注者情報（発注者の連絡先等）、無線基地局の品名と対応する設計製造業者等を記憶する部分である。通信部２２は、ネットワーク網４０との間で情報を送受信するための部分である。制御部２３は、プログラムに基づいて、各構成部２１〜２２を制御する部分である。
【００１８】
受注者端末３０は、受注者である携帯電話機の無線基地局を目隠しする目隠し用アイテムを設計製造する設計製作業者が用いるコンピュータ端末であり、ネットワーク網４０と通信可能に接続されている。受注者端末３０は、入力部３１と、表示部３２と、記憶部３３と、通信部３４と、制御部３５と、を有する。入力部３１は、キーボード、マウス等の入力操作する部分である。表示部３２は、所定の情報を表示する。記憶部３３は、プログラム、設計した目隠し用アイテムのデータ等の情報を記憶する部分である。通信部３４は、ネットワーク網４０との間で情報を送受信するための部分である。制御部３５は、プログラムに基づいて、各構成部３１〜３４を制御する部分である。
【００１９】
ネットワーク網４０は、有線回線、無線回線等の情報ネットワーク網である。
【００２０】
次に、本発明の実施形態１に係る発注支援システムの動作について図面を用いて説明する。図２は、本発明の実施形態１に係る発注支援システムの動作を模式的に示したフローチャート図である。図３は、本発明の実施形態１に係る発注支援システムを用いたときの発注起案から納品完了までの流れを模式的に示したイメージ図である。
【００２１】
まず、エリア管理者は、目隠し用アイテムで景観を調和させたい携帯電話機の無線基地局の設置状況を観察する。例えば、ビル内の壁や天井などの周囲の色（図３のＡ参照）や、地下鉄構内に設置する場合には目隠し用アイテムを広告媒体として利用すること（図３のＢ参照）や、ファーストフード店内に設置する場合には店の看板（トレードマーク）として利用すること（図３のＣ参照）等を考えながら観察する。この観察の際に、携帯電話機の無線基地局の設置状況をデジタルカメラ等で記録する。また、直射日光があたる、水滴がつきやすいなどの携帯電話機の無線基地局に係る環境条件を紙などに記録する。
【００２２】
次に、エリア管理者は、デジタルカメラ等で記録した携帯電話機の無線基地局の設置状況に係る画像データを発注者端末１０に読み取らせて、読み取った画像データを発注者端末１０に記憶させる（ステップＡ１）。
【００２３】
次に、エリア管理者は、発注者端末１０を用いて、発注支援サーバ２０にアクセスする（ステップＡ２）。発注支援サーバ２０は、発注者端末１０のアクセスにより、発注支援サイトのホームページ画面、コンテンツ、見本、サイズ、見積価格、発注用入力フォーム等の所定の情報を発注者端末１０に送信する（ステップＡ３）。
【００２４】
次に、発注者端末１０は、発注支援サーバ２０からの発注支援サイトのホームページ画面、コンテンツ、目隠し用アイテムの見本、サイズ、見積価格、発注用入力フォーム等の所定の情報を受信することにより、当該情報を表示する（ステップＡ４）。これにより、エリア管理者は、発注者端末１０に表示された情報を参照することで、目隠し用アイテムの内容を検討し、発注用入力フォームに所定の情報を入力することになる。
【００２５】
次に、エリア管理者は、発注者端末１０を用いて、発注用入力フォームに自己の情報（発注者情報；例えば、会社名、住所、電話番号等）、無線基地局に係る環境条件、無線基地局の品名等を入力し、携帯電話機の無線基地局の設置状況に係る画像データを添付した発注情報を作成し、当該発注情報を発注支援サーバ２０に送信する（ステップＡ５）。
【００２６】
次に、発注支援サーバ２０は、発注者端末１０からの発注情報を受信することにより、発注情報から無線基地局の品名を読出し、当該無線基地局の品名に対応する設計製造業者を選択する（ステップＡ６）。次に、発注支援サーバ２０は、選んだ設計製造業者の受注者端末３０に発注情報を送信する（ステップＡ７）。
【００２７】
次に、受注者端末３０は、発注支援サーバ２０からの発注情報を受信することにより、当該発注情報を表示する（ステップＡ８）。これにより、設計製造業者は、表示内容を確認することで、画像データ、無線基地局に係る環境条件、無線基地局の品名等などから最も調和すると思われる目隠し用アイテムのタイプを選び、色彩、デザインを設計することになる。この際、直射日光があたる、水滴がつきやすい環境エリアかを情報から確認し、耐光・耐水性能など、環境条件も考慮する。
【００２８】
設計後、設計製造業者は、受注者端末３０を用いて、選択した目隠し用アイテムのタイプ、設計した色彩、デザイン、見積価格等を含む提案情報を作成し、当該提案情報を発注者端末１０に送信する（ステップＡ９）。これにより、設計製造業者は、目隠し用アイテムを製造する前に、エリア管理者に対し、目隠し用アイテムのタイプ、色彩、デザイン、見積価格等を提示することになる。
【００２９】
次に、発注者端末１０は、受注者端末３０からの提案情報を受信することにより、当該提案情報を表示する（ステップＡ１０）。これにより、エリア管理者は、提案情報にある目隠し用アイテムのタイプ、色彩、デザイン、見積価格等の内容で発注を確定させるかを判断することになる。提案情報にある目隠し用アイテムのタイプ、色彩、デザイン等の内容に修正が必要な場合は、エリア管理者は、発注者端末１０を用いて修正の旨を知らせる情報を受注者端末３０に送信して、修正後の第２の提案情報を受けることになる。
【００３０】
提案情報（第２の提案情報の場合あり）の内容で発注を確定させる場合は、エリア管理者は、発注者端末１０を用いて、提案情報の内容で発注を確定させる発注確定情報を受注者端末３０に送信する（ステップＡ１１）。
【００３１】
次に、受注者端末３０は、発注者端末１０からの発注確定情報を受信することにより、当該発注確定情報を表示する（ステップＡ１２）。これにより、設計製造業者は、発注確定情報に対応する提案情報の内容に基づいて、目隠し用アイテムを製造することになる。その後、設計製造業者は、完成した目隠し用アイテムをエリア管理者に納品するとともに、料金を請求する。最後に、エリア管理者は、料金の支払いを行い、納品された目隠し用アイテムを携帯電話機の無線基地局に取り付ける。以上により、携帯電話機の無線基地局が設置されたエリアの景観と目隠し用アイテムを調和させることができる。
【００３２】
実施形態１によれば、エリア管理者は、ビジネスエリアの景観と調和するカバーなどの目隠し用アイテムの発注を簡易かつ迅速に発注することができる。また、設計製造業者にとっては、目隠し用アイテムをストックしておく必要がなく、棚卸上良好な状態が保てる。これにより、エリア管理者は、景観を損ねることによる携帯電話機の無線基地局の販売ビジネスのチャンスを逃すことがなくなる。また、無数に存在する設置環境ごとに、携帯電話機の無線基地局を景観に調和させるビジネスシステムを確立したことで、携帯電話機の無線基地局に係る付加価値の向上につながる。
【図面の簡単な説明】
【００３３】
【図１】本発明の実施形態１に係る発注支援システムの構成を模式的に示したブロック図である。
【図２】本発明の実施形態１に係る発注支援システムの動作を模式的に示したフローチャート図である。
【図３】本発明の実施形態１に係る発注支援システムを用いたときの発注起案から納品完了までの流れを模式的に示したイメージ図である。
【符号の説明】
【００３４】
１０  発注者端末
１１  入力部
１２  読取部
１３  表示部
１４  記憶部
１５  通信部
１６  制御部
２０  発注支援サーバ
２１  記憶部
２２  通信部
２３  制御部
３０  受注者端末
３１  入力部
３２  表示部
３３  記憶部
３４  通信部
３５  制御部
４０  ネットワーク網
【図１】
2006227956.tif 000003
【図２】
2006227956.tif 000004
【図３】
2006227956.tif 000005